(57)【要約】【課題】排ガス処理及び排ガス処理装置自体の洗浄を安価に可能な排ガス処理システムを提供する。【解決手段】ビールを充填する前の缶２を洗浄する容器洗浄設備４と、洗浄後の缶２に不活性ガス環境下においてビールを充填する充填設備５とを有する缶ビール製造工場に設置され、充填設備５から排気される排ガスからビール成分を除去する排ガス処理システム１６であって、本体２０の内部に充填材３５が設けられ、充填材３５の上方には散水ノズル３６が配置され、充填材３５の下方に充填設備５から排気される排ガスが給気される給気口２７が設けられ、給気口２７より下方にドレン管３２が設けられ、散水ノズル３６の上方にビール成分が除去された排ガスを排気する排気口２１が設けられた排ガス処理装置１７と、容器洗浄設備４において使用した洗浄水及び熱水を散水ノズル３６に供給する供給機構と、が備えられている。【選択図】図２
2018111064.tif 000002
【特許請求の範囲】
【請求項１】
食品を充填する前の容器を洗浄する容器洗浄設備と、洗浄後の容器に不活性ガス環境下において食品を充填する充填設備とを有する容器入り食品製造工場に設置され、前記充填設備から排気される、不活性ガス及び食品成分を含む排ガスから前記食品成分を除去する排ガス処理システムであって、
本体の内部に散水ノズルが設けられ、前記散水ノズルの下方に前記充填設備から排気される排ガスが給気される給気口が設けられ、前記給気口より下方にドレンが設けられ、前記散水ノズルの上方に少なくとも前記食品成分が除去された排ガスを排気する排気口が設けられた排ガス処理装置と、
前記容器洗浄設備において前記容器を洗浄するために散布した洗浄水及び該容器洗浄設備を洗浄するために散布した熱水を少なくとも前記散水ノズルに供給する供給機構と、が備えられている排ガス処理システム。
【請求項２】
食品を充填する前の容器を洗浄する容器洗浄設備と、食品が充填された容器に不活性ガス環境下において蓋をする巻締設備とを有する容器入り食品製造工場に設置され、前記巻締設備から排気される、不活性ガス及び食品成分を含む排ガスから前記食品成分を除去する排ガス処理システムであって、
本体の内部に散水ノズルが設けられ、前記散水ノズルの下方に前記巻締設備から排気される排ガスが給気される給気口が設けられ、前記給気口より下方にドレンが設けられ、前記散水ノズルの上方に少なくとも前記食品成分が除去された排ガスを排気する排気口が設けられた排ガス処理装置と、
前記容器洗浄設備において前記容器を洗浄するために散布した洗浄水及び該容器洗浄設備を洗浄するために散布した熱水を少なくとも前記散水ノズルに供給する供給機構と、が備えられている排ガス処理システム。
【請求項３】
前記供給機構は、前記容器洗浄設備において使用された前記洗浄水又は前記熱水を貯留する貯留タンクと、
前記貯留タンクに貯留された前記洗浄水又は前記熱水を前記散水ノズルに供給する供給配管と、
前記供給配管に設けられた供給ポンプと、が備えられている請求項１又は２に記載の排ガス処理システム。
【請求項４】
前記供給配管は、前記供給ポンプから前記散水ノズルに至る途中で分岐し、前記散水ノズルに至る第一供給配管と、前記給気口と前記散水ノズルとの間の壁面に設けられた給水口に至る第二供給配管と、を有し、
少なくとも前記第二供給配管に流量調節バルブが備えられている請求項３に記載の排ガス処理システム。
【請求項５】
前記ドレンにドレンバルブが備えられ、前記給気口に至る給気管に流量調節バルブが備えられている請求項１から４のいずれか一項に記載の排ガス処理システム。
【請求項６】
食品を充填する前の容器を洗浄する容器洗浄設備と、洗浄後の容器に不活性ガス環境下において食品を充填する充填設備とを有する容器入り食品製造工場に設置され、前記充填設備から排気される、不活性ガス及び食品成分を含む排ガスから前記食品成分を除去するために設置された排ガス処理装置の運転方法であって、
前記排ガス処理装置は、本体の内部に散水ノズルが設けられ、前記散水ノズルの下方に前記充填設備から排気される排ガスが給気される給気口が設けられ、前記給気口より下方にドレンが設けられ、前記散水ノズルの上方に少なくとも前記食品成分が除去された排ガスを排気する排気口が設けられて構成され、
前記排ガスの処理時に、前記容器洗浄設備において前記容器を洗浄するために散布した洗浄水を前記散水ノズルに供給する洗浄水供給ステップが実行され、前記排ガス処理装置の洗浄時に、前記容器洗浄設備を洗浄するために散布した熱水を少なくとも前記散水ノズルに供給する熱水供給ステップが実行される運転方法。
【請求項７】
食品を充填する前の容器を洗浄する容器洗浄設備と、食品が充填された容器に不活性ガス環境下において蓋をする巻締設備とを有する容器入り食品製造工場に設置され、前記巻締設備から排気される、不活性ガス及び食品成分を含む排ガスから前記食品成分を除去するために設置された排ガス処理装置の運転方法であって、
前記排ガス処理装置は、本体の内部に散水ノズルが設けられ、前記散水ノズルの下方に前記巻締設備から排気される排ガスが給気される給気口が設けられ、前記給気口より下方にドレンが設けられ、前記散水ノズルの上方に少なくとも前記食品成分が除去された排ガスを排気する排気口が設けられて構成され、
前記排ガスの処理時に、前記容器洗浄設備において前記容器を洗浄するために散布した洗浄水を前記散水ノズルに供給する洗浄水供給ステップが実行され、前記排ガス処理装置の洗浄時に、前記容器洗浄設備を洗浄するために散布した熱水を少なくとも前記散水ノズルに供給する熱水供給ステップが実行される運転方法。
【請求項８】
前記容器洗浄設備において使用された前記洗浄水又は前記熱水を貯留する貯留ステップを備え、
前記洗浄水供給ステップにおいて、前記貯留ステップにおいて貯留された前記洗浄水を使用し、前記熱水供給ステップにおいて、前記貯留ステップにおいて貯留された前記熱水を使用する請求項６又は７に記載の運転方法。
【請求項９】
前記洗浄水供給ステップは、前記散水ノズルのみを介して洗浄水を供給し、
前記熱水供給ステップは、前記散水ノズル及び前記給気口と前記散水ノズルとの間の壁面に設けられた給水口を介して前記熱水を供給する請求項６から８のいずれか一項に記載の運転方法。
【請求項１０】
前記熱水供給ステップは、前記ドレン及び前記給気口を閉じた状態で実行され、前記排ガス処理装置に供給された熱水は前記排気口から排水される請求項６から９のいずれか一項に記載の運転方法。
【発明の詳細な説明】
【技術分野】
【０００１】
本発明は、食品を充填する前の容器を洗浄する容器洗浄設備と、洗浄後の容器に不活性ガス環境下において食品を充填する充填設備とを有する容器入り食品製造工場に設置され、前記充填設備から排気される、不活性ガス及び食品成分を含む排ガスから前記食品成分を除去する排ガス処理システム等に関する。
【背景技術】
【０００２】
食品製造工場の一例として、缶ビール製造工場は、ビールを充填する前の缶を貯蔵する貯蔵設備、ビールを充填する前の缶を洗浄する容器洗浄設備、缶にビールを充填する充填設備、ビールが充填された缶に蓋をする巻締設備、巻締設備によって蓋が締められた缶を高温殺菌する殺菌設備及び缶ビールを所定数量ずつ梱包する梱包設備等を、備えている。
【０００３】
充填設備については、ビール等の泡立ちによる飛沫や炭酸ガスの放散を生じ、また巻締設備については、特に缶に蓋をするときに泡が出るだけでなく、缶内の酸素の量を減らすために吹き付けた炭酸ガスによって、缶のまわりの泡が吹き飛ばされるため、これらの設備から排出される排ガスである炭酸ガスにはミスト状のビール成分が含まれている。このようなビール成分が含まれた排ガスを処理するために、排ガス処理装置が用いられる。
【０００４】
排ガス処理装置の一例として、特許文献１には、気密に構成された本体内の上部に設置された気液接触部材と、この気液接触部材の上方に設置されたミスト除去部材と、前記気液接触部材とミスト除去部材との間に設けられて、前記気液接触部材に向けて散水する散水ノズルとを有し、本体の下方には処理対象気体及び洗浄液を本体内に流入するための流入口が形成され、当該流入口の下方には排水口が形成され、気液接触部材の上方には排気ファンに通ずる排気口が形成され、前記排水口又は排水口からの排水経路には、開閉自在な弁が設けられたことを特徴とする、ミストセパレータが開示されている。
【先行技術文献】
【特許文献】
【０００５】
【特許文献１】特開２００３‐４７８１４号公報
【発明の概要】
【発明が解決しようとする課題】
【０００６】
特許文献１に開示されているミストセパレータは、排ガス処理時に使用する散水ノズルからの散水に利用する新水が必要になるという問題があった。
【課題を解決するための手段】
【０００７】
本発明は上記実情に鑑みてなされたものであって、排ガス処理時の散水及び排ガス処理装置自体の洗浄を安価に可能な排ガス処理システム及び排ガス処理装置の運転方法を提供することを目的とする。
【０００８】
上述の目的を達成するための、本発明に係る排ガス処理システムの特徴構成は、食品を充填する前の容器を洗浄する容器洗浄設備と、洗浄後の容器に不活性ガス環境下において食品を充填する充填設備とを有する容器入り食品製造工場に設置され、前記充填設備から排気される、不活性ガス及び食品成分を含む排ガスから前記食品成分を除去する排ガス処理システムであって、本体の内部に散水ノズルが設けられ、前記散水ノズルの下方に前記充填設備から排気される排ガスが給気される給気口が設けられ、前記給気口より下方にドレンが設けられ、前記散水ノズルの上方に少なくとも前記食品成分が除去された排ガスを排気する排気口が設けられた排ガス処理装置と、前記容器洗浄設備において前記容器を洗浄するために散布した洗浄水及び該容器洗浄設備を洗浄するために散布した熱水を少なくとも前記散水ノズルに供給する供給機構と、が備えられている点にある。
【０００９】
上述の構成によると、排ガス処理装置において排ガス処理を行うときは、供給機構によって、容器洗浄設備において容器の洗浄のために使用された洗浄水を散水ノズルに供給することによって、給気口から供給された充填設備からの排ガスと、散水ノズルから散布した洗浄水とを気液接触させて、排ガスに含まれる食品成分を除去することができる。排ガス処理装置自体の洗浄を行うときは、供給機構によって、容器洗浄設備において該容器洗浄設備を洗浄するために使用された熱水を少なくとも散水ノズルに供給することによって、排ガス処理装置の内部に付着した食品成分を洗浄することができる。
【００１０】
容器洗浄設備において洗浄水及び熱水の使用をするときと、排ガス処理装置において洗浄水及び熱水の使用をするときとがそれぞれ同じであるため、上述のような使用が可能となる。排ガス処理装置における排ガスの処理に使用する洗浄水と、排ガス処理装置自体の洗浄の際に使用する熱水とを、別に用意する必要がなくなる。
【００１１】
上述の目的を達成するための、本発明に係る排ガス処理システムの特徴構成は、食品を充填する前の容器を洗浄する容器洗浄設備と、食品が充填された容器に不活性ガス環境下において蓋をする巻締設備とを有する容器入り食品製造工場に設置され、前記巻締設備から排気される、不活性ガス及び食品成分を含む排ガスから前記食品成分を除去する排ガス処理システムであって、本体の内部に散水ノズルが設けられ、前記散水ノズルの下方に前記巻締設備から排気される排ガスが給気される給気口が設けられ、前記給気口より下方にドレンが設けられ、前記散水ノズルの上方に少なくとも前記食品成分が除去された排ガスを排気する排気口が設けられた排ガス処理装置と、前記容器洗浄設備において前記容器を洗浄するために散布した洗浄水及び該容器洗浄設備を洗浄するために散布した熱水を少なくとも前記散水ノズルに供給する供給機構と、が備えられている点にある。
【００１２】
上述の構成によると、排ガス処理装置において排ガス処理を行うときは、供給機構によって、容器洗浄設備において容器の洗浄のために使用された洗浄水を散水ノズルに供給することによって、給気口から供給された巻締設備からの排ガスと、散水ノズルから散布した洗浄水とを気液接触させて、排ガスに含まれる食品成分を除去することができる。排ガス処理装置自体の洗浄を行うときは、供給機構によって、容器洗浄設備において該容器洗浄設備を洗浄するために使用された熱水を少なくとも散水ノズルに供給することによって、少なくとも充填材に付着した食品成分を洗浄することができる。
【００１３】
容器洗浄設備において洗浄水及び熱水の使用をするときと、排ガス処理装置において洗浄水及び熱水の使用をするときとがそれぞれ同じであるため、上述のような使用が可能となる。排ガス処理装置における排ガスの処理に使用する洗浄水と、排ガス処理装置自体の洗浄の際に使用する熱水とを、別に用意する必要がなくなる。
【００１４】
本発明においては、前記供給機構は、前記容器洗浄設備において使用された前記洗浄水又は前記熱水を貯留する貯留タンクと、前記貯留タンクに貯留された前記洗浄水又は前記熱水を前記散水ノズルに供給する供給配管と、前記供給配管に設けられた供給ポンプと、が備えられていると好適である。
【００１５】
上述の構成によると、貯留タンクに洗浄水や熱水を一旦貯留することができるため、容器洗浄設備と排ガス処理装置において、使用する洗浄水や熱水の量の差や、洗浄水や熱水を使用するタイミングにずれがあったとしてもそれらの影響を受けることなく、洗浄水や熱水を排ガス処理装置に供給できる。
【００１６】
本発明においては、前記供給配管は、前記供給ポンプから前記散水ノズルに至る途中で分岐し、前記散水ノズルに至る第一供給配管と、前記給気口と前記散水ノズルとの間の壁面に設けられた給水口に至る第二供給配管と、を有し、少なくとも前記第二供給配管に流量調節バルブが備えられていると好適である。
【００１７】
上述の構成によると、排ガス処理装置によって排ガスを処理するときは、第一供給配管のみを介して散水ノズルから洗浄水を供給し、排ガス処理装置の洗浄時には、第二供給配管を介して、熱水をすばやく本体の内部に供給することができる。
【００１８】
本発明においては、前記ドレンにドレンバルブが備えられ、前記給気口に至る給気管に流量調節バルブが備えられていると好適である。
【００１９】
上述の構成によると、排ガス処理装置の洗浄中にドレンバルブを閉じることによって本体の内部に熱水を満たし、本体の内部全体を洗浄することができる。なお、洗浄に使用した熱水は排気口から排水される。また、排ガス処理装置の洗浄中に流量調節バルブを閉じることによって、排ガスの発生源の充填設備又は巻締設備を洗浄のための洗浄水が、給気口を介して排ガス処理装置に流れ込まない。
【００２０】
上述の目的を達成するための、本発明に係る運転方法の特徴構成は、食品を充填する前の容器を洗浄する容器洗浄設備と、洗浄後の容器に不活性ガス環境下において食品を充填する充填設備とを有する容器入り食品製造工場に設置され、前記充填設備から排気される、不活性ガス及び食品成分を含む排ガスから前記食品成分を除去するために設置された排ガス処理装置の運転方法であって、前記排ガス処理装置は、本体の内部に散水ノズルが設けられ、前記散水ノズルの下方に前記充填設備から排気される排ガスが給気される給気口が設けられ、前記給気口より下方にドレンが設けられ、前記散水ノズルの上方に少なくとも前記食品成分が除去された排ガスを排気する排気口が設けられて構成され、前記排ガスの処理時に、前記容器洗浄設備において前記容器を洗浄するために散布した洗浄水を前記散水ノズルに供給する洗浄水供給ステップが実行され、前記排ガス処理装置の洗浄時に、前記容器洗浄設備を洗浄するために散布した熱水を少なくとも前記散水ノズルに供給する熱水供給ステップが実行される点にある。
【００２１】
上述の目的を達成するための、本発明に係る運転方法の特徴構成は、食品を充填する前の容器を洗浄する容器洗浄設備と、食品が充填された容器に不活性ガス環境下において蓋をする巻締設備とを有する容器入り食品製造工場に設置され、前記巻締設備から排気される、不活性ガス及び食品成分を含む排ガスから前記食品成分を除去するために設置された排ガス処理装置の運転方法であって、前記排ガス処理装置は、本体の内部に散水ノズルが設けられ、前記散水ノズルの下方に前記巻締設備から排気される排ガスが給気される給気口が設けられ、前記給気口より下方にドレンが設けられ、前記散水ノズルの上方に少なくとも前記食品成分が除去された排ガスを排気する排気口が設けられて構成され、前記排ガスの処理時に、前記容器洗浄設備において前記容器を洗浄するために散布した洗浄水を前記散水ノズルに供給する洗浄水供給ステップが実行され、前記排ガス処理装置の洗浄時に、前記容器洗浄設備を洗浄するために散布した熱水を少なくとも前記散水ノズルに供給する熱水供給ステップが実行される点にある。
【００２２】
本発明においては、前記容器洗浄設備において使用された前記洗浄水又は前記熱水を貯留する貯留ステップを備え、前記洗浄水供給ステップにおいて、前記貯留ステップにおいて貯留された前記洗浄水を使用し、前記熱水供給ステップにおいて、前記貯留ステップにおいて貯留された前記熱水を使用すると好適である。
【００２３】
本発明においては、前記洗浄水供給ステップは、前記散水ノズルのみを介して洗浄水を供給し、前記熱水供給ステップは、前記散水ノズル及び前記給気口と前記散水ノズルとの間の壁面に設けられた給水口を介して前記熱水を供給すると好適である。
【００２４】
本発明においては、前記熱水供給ステップは、前記ドレン及び前記給気口を閉じた状態で実行され、前記排ガス処理装置に供給された熱水は前記排気口から排水されると好適である。
【図面の簡単な説明】
【００２５】
【図１】本発明に係る排ガス処理システムを備えたビール製造工場の概略図
【図２】排ガス処理装置によって排ガスを処理しているときの説明図
【図３】排ガス処理装置を洗浄しているときの説明図
【発明を実施するための形態】
【００２６】
以下に本発明の案内機構の実施形態について図面を参照しながら説明をする。
【００２７】
食品製造工場の一例として、缶ビール製造工場１は、図１に示すように、ビールを充填する前の缶２を貯蔵する貯蔵設備３、ビールを充填する前の缶２を洗浄する容器洗浄設備４、缶２にビールを充填する充填設備５、ビールが充填された缶２蓋をする巻締設備６、蓋が締められた缶２（以下、缶ビール２ともいう。）を所定数量ずつ梱包する梱包設備７等を備えている。
【００２８】
本実施形態においては、ビールが本発明に係る食品であり、缶２が本発明に係る容器である。缶２は、金属缶（二ピース缶）から構成されている。缶２は蓋が取り付けられていない状態のまま、パレット８上に所定数量ずつ段積みされ、貯蔵設備３に貯蔵されている。
【００２９】
貯蔵設備３は開梱装置、いわゆるデパレタイザを備えている。該開梱装置によってパレット８に段積みされている缶２が開梱され容器洗浄設備４に搬送される。
【００３０】
容器洗浄設備４は、貯蔵設備３に貯蔵されていた缶２を洗浄する設備である。容器洗浄設備４は、缶２を倒立状態で搬送する搬送手段９、搬送手段９による缶２の搬送経路に沿って缶２に洗浄水を噴射する洗浄水ノズル１０、缶２の洗浄に使用された洗浄水を集水する集水パン１１等を備えている。なお、容器洗浄設備４の筐体自体が集水パン１１の役割を果たしている場合は、集水パン１１はなくてもよい。
【００３１】
洗浄水ノズル１０に洗浄水の供給機構が接続されている。前記供給機構は、缶２の洗浄時は洗浄水ノズル１０に常温の新水を洗浄水として供給し、容器洗浄設備４の洗浄時は洗浄水ノズル１０に、たとえば図示しない加熱装置によって加熱された新水（以下、熱水という。）を洗浄水として供給する。
【００３２】
充填設備５は、容器洗浄設備４において洗浄された缶２を受け取り、該缶２に所定の入味量のビールを充填する設備である。充填設備５に、筐体の内部に、ビールの充填装置１２と、ビールを充填する前の缶２に不活性ガスとして炭酸ガスを噴射する噴射機構１３とが備えられている。筐体の内部は、ビールを缶２に充填する際の飛沫や、噴射機構１３から噴射された炭酸ガスが漂う環境となっている。なお、不活性ガスは炭酸ガスに限らない。たとえば窒素ガスであってもよく、噴射機構１３はビールの充填装置１２に内蔵されていてもよい。
【００３３】
巻締設備６は、充填設備５から所定の入味量のビールが充填された缶２を受け取り、該缶２に蓋を巻締する設備である。巻締設備６に、筐体の内部に、缶２に蓋を巻き締める巻締装置１４と、缶２に蓋を巻き締める前に缶２の液面上に不活性ガスとして炭酸ガスを噴射する噴射機構１５とが備えられている。筐体の内部は、缶２に蓋を巻き締める際に噴射機構１３から噴射された炭酸ガスや、炭酸ガスの噴射によって発生するビールの飛沫が漂う環境となっている。
【００３４】
梱包設備７は、巻締設備６によって蓋が締められた缶ビール２を所定本数ずつ梱包する設備である。梱包設備７によって梱包された缶ビール２は、その後出荷される。
【００３５】
上述のように充填設備５の筐体の内部や、巻締設備６の筐体の内部は、炭酸ガスとビールの飛沫が漂う環境であり、したがって、充填設備５や巻締設備６から排出される排ガスは炭酸ガス及びビール成分を含んでいる。
【００３６】
このような排ガスからビール成分を除去するために、缶ビール製造工場１に、図２に示すような排ガス処理システム１６が備えられている。
【００３７】
排ガス処理システム１６は、充填設備５から排出される排ガスを処理する排ガス処理装置１７及び巻締設備６から排出される排ガスを処理する排ガス処理装置１８と、容器洗浄設備４において集水パン１１に集水された洗浄水や熱水を排ガス処理装置１７及び排ガス処理装置１８に供給する供給機構１９とを備えている。
【００３８】
排ガス処理装置１７及び排ガス処理装置１８は構造的に同一であるため、排ガス処理装置１７及び排ガス処理装置１８の区別が不要な構成については、排ガス処理装置１７のみについて説明し、排ガス処理装置１８の説明は省略する。
【００３９】
排ガス処理装置１７は、底面と天面が閉じられた筒状の本体２０を備えている。本体２０はステンレス鋼等から構成されている。
【００４０】
本体２０の天面付近の側面には、排気口２１が形成されている。排気口２１には排出配管２２が接続されている。排出配管２２には、排気口２１から排出される排ガスの排気配管２３と、排気口２１から排出される洗浄水の排水配管２４とが接続されている。
【００４１】
排気配管２３に排気バルブ２５が備えられ、下流側が図示しない吸引ファンに接続されている。排水配管２４に排水バルブ２６が備えられている。排水配管２４の下流側は図示しない排水設備に接続されている。排気バルブ２５及び排水バルブ２６は、手動により、又は図示しない制御部からの指示に応じて電動により、開度が全閉状態から全開状態までの間で可変に構成されている。
【００４２】
本体２０の下方側面には、充填設備５から排出される排ガスが給気される給気口２７が形成されている。給気口２７には、充填設備５に通じる給気管２８が先下がり勾配をつけて接続されている。給気管２８に流量調節バルブ２９が備えられている。給気管２８には、流量調節バルブ２９の上流側に、返送バルブ３０を備えた返送配管３１が接続されている。流量調節バルブ２９及び返送バルブ３０は、手動により、又は図示しない制御部からの指示に応じて電動により、開度が全閉状態から全開状態までの間で可変に構成されている。
【００４３】
本体２０の底部の側面にはドレンとしてのドレン管３２が接続されている。ドレン管３２にドレンバルブ３３と排水トラップ３４とが備えられている。ドレン管３２の下流側は図示しない排水設備に接続されている。排水トラップ３４は、弁箱にフロート式のトラップを内蔵して構成されている。排水トラップ３４により、排ガスの処理中にドレン管３２を介して排ガスが流れ出る虞がない。ドレンバルブ３３は、手動により、又は図示しない制御部からの指示に応じて電動により、開度が全閉状態から全開状態までの間で可変に構成されている。
【００４４】
本体２０の内部には、充填材３５が設けられている。充填材３５は、ステンレス鋼からなる平板に多数の細孔が形成された、いわゆるパンチンメタルが、鉛直方向に所定の間隙をもって多段に積層して構成されている。各パンチングメタルに形成された多数の細孔が排ガスの流通経路となる。なお、上下に隣り合うパンチングメタルは、平面視で細孔どうしが重なりあわないように配置されている。
【００４５】
なお、充填材３５は、一枚のパンチングメタルから構成されてもよい。また、充填材３５は、メッシュ体を鉛直方向に所定の間隙をもって多段に積層して構成されてもよいし、ステンレス鋼からなる波板を水平方向に所定の間隙をもって多段に積層して構成されてもよい。また、充填材３５は、耐熱性を有する樹脂から構成されてもよい。
【００４６】
充填材３５の上方には、供給機構１９によって供給される洗浄水及び熱水を充填材３５に向けて散水する一つ以上の散水ノズル３６が設けられている。
【００４７】
なお、供給機構１９に、集水パン１１に接続された貯留タンク３７と、貯留タンク３７と散水ノズル３６とを接続する供給配管３８と、供給配管３８に設けられた供給ポンプ３９と、が備えられている。
【００４８】
供給配管３８は、その途中で排ガス処理装置１７に至る経路３８ａと、排ガス処理装置１８に至る経路３８ｂとに分岐している。
【００４９】
供給配管３８は、供給ポンプ３９から散水ノズル３６に至る途中で分岐し、散水ノズル３６に至る第一供給配管４１と、本体２０の給気口２７と充填材３５との間の壁面に設けられた給水口４０に至る第二供給配管４２と、を有する。
【００５０】
第一供給配管４１に流量調節バルブ４３が備えられ、第二供給配管４２に流量調節バルブ４４が備えられている。流量調節バルブ４３及び流量調節バルブ４４は、手動により、又は図示しない制御部からの指示に応じて電動により、開度が全閉状態から全開状態までの間で可変に構成されている。
【００５１】
排ガス処理装置１７は、缶ビール製造工場１が缶ビール２を製造する際に充填設備５から排出される排ガスを処理するために稼動する。
【００５２】
排ガスの処理中においては、前記吸引ファンは稼動され、排気バルブ２５、流量調節バルブ２９、ドレンバルブ３３及び流量調節バルブ４３は開かれ、排水バルブ２６、返送バルブ３０及び流量調節バルブ４４は閉じられる。
【００５３】
容器洗浄設備４から排水された缶２の洗浄に使用した洗浄水が貯留タンク３７を介して散水ノズル３６に供給される。散水ノズル３６から充填材３５に散水され続ける洗浄水によって、各パンチングメタルの上に洗浄水の液相が形成される。換言すると、各パンチングメタルの上に洗浄水の液相が形成できるように、パンチングメタルの細孔からの滴下量に対する散水ノズル３６からの洗浄水の散水量が調節される。
【００５４】
本体２０に給気された排ガスは、本体２０の内部を上昇し、充填材３５を通過する際に、洗浄水の液相と気液接触が行われ、ビール成分は洗浄水側へ除去される。なお、ビール成分を含んだ洗浄水自体は、充填材３５を構成するパンチングメタルの細孔を介して本体２０の底部に滴下し、ドレン管３２から排水される。なお、充填材３５は備えられていなくてもよい。
【００５５】
散水ノズル３６の上方には、エリミネータ４５が設置されている。エリミネータ４５は、ステンレス鋼からなる波板を水平方向に所定の間隙をもって多段に積層して構成されている。隣り合う波板どうしの間の波状通路が排ガスの流通経路となる。また、エリミネータ４５は、耐熱性を有する樹脂から構成されてもよい。なお、エリミネータ４５は備えられていなくてもよい。
【００５６】
ビール成分が除去された排ガスがエリミネータ４５の下方から上方に通り抜ける際に、排ガス中の水分が波板に衝突することによって該水分が除去される。
【００５７】
このように、缶ビール２を製造中に充填設備５から排出された排ガスは、排ガス処理装置１７の内部でビール成分及び水分が除去され、排気口２１から排気される。
【００５８】
ところで、缶ビール製造工場１は、定期的に、たとえば所定時間ごとや、製造ロットごとに洗浄が行われる。その際、容器洗浄設備４は、高温の熱水によって洗浄される。なお、熱水とは、容器洗浄設備４において使用される約６０℃以上約１００℃未満、好ましくは約８０℃以上約１００℃未満、さらに好ましくは、約９０℃以上約１００℃未満の水である。また、充填設備５や巻締設備６は、酸性やアルカリ性の薬液や、熱水等によって洗浄及び殺菌される。
【００５９】
その際、排ガス処理装置１７も洗浄が行われる。図３に示すように、排ガス処理装置１７の洗浄中においては、排水バルブ２６、返送バルブ３０、流量調節バルブ４３及び流量調節バルブ４４は開かれ、排気バルブ２５、流量調節バルブ２９、及びドレンバルブ３３は閉じられ、前記吸引ファンは停止される。
【００６０】
流量調節バルブ２９が閉じられるため、充填設備５からの薬液や熱水は排ガス処理装置１７に流れ込むことはない。なお、流量調節バルブ２９の上流まで流れ込んできた薬剤や熱水は返送配管３１を介して充填設備５に返送される。
【００６１】
容器洗浄設備４おいて使用された洗浄水としての熱水は、集水パン１１を介して貯留タンク３７に貯留され、供給ポンプ３９によって第一供給配管４１及び第二供給配管４２を介して排ガス処理装置１７に供給される。このように、散水ノズル３６及び給水口４０から熱水を供給することによって、散水ノズル３６のみから洗浄水を供給するよりも早く本体２０の内部を洗浄水で満たすことができる。
【００６２】
洗浄水は本体２０に溜まり、本体２０の内部すなわち天面、底面及び壁面や充填材、散水ノズル、エリミネータ等が洗浄される。本体２０に満たされた洗浄水は、排気口２１から排水配管２４へと溢流する。なお、ビール成分は、６０℃から７０℃程度もあれば十分に洗浄できるため、排ガス処理装置１７に供給されるまでに７０℃から８０℃程度まで下がっていてもよい。
【００６３】
容器洗浄設備４において使用された熱水を洗浄水として再利用して本体２０の内部を洗浄するため、別に新水を用意する必要がないためランニングコストを抑えることが可能である。
【００６４】
容器洗浄設備４、充填設備５及び巻締設備６の洗浄が終了すると、缶ビール２の製造のために、容器洗浄設備４、充填設備５及び巻締設備６の立ち上げが行われる。容器洗浄設備４においては、洗浄ノズルから１０から洗浄水としての常温の新水の噴射が開始され、充填設備５においては充填装置１２が稼動され、巻締設備６においては、巻締装置１４が稼動される。そして、排ガス処理装置１７においては、前記吸引ファンによる排ガスの吸引が開始される。
【００６５】
容器洗浄設備４、充填設備５及び巻締設備６が立ち上がると、貯蔵設備３から容器洗浄設備４への缶２の供給が開始され、図１及び図２に示すように、各設備が所定の処理を行うことによって缶ビール２が製造される。
【００６６】
上述した実施形態においては、排ガス処理システム１６は貯留タンク３７を備えていたが、貯留タンク３７を備えずに、集水パン１１に集水された洗浄水をそのまま排ガス処理装置１７及び排ガス処理装置１８に供給してもよい。
【００６７】
また、洗浄水を供給する場合のみ貯留タンク３７を使用し、熱水を供給する場合は貯留タンク３７を使用しないようにすることも可能である。
【００６８】
ただし、排ガス処理システム１６は貯留タンク３７を備えることにより以下の利点がある。あるロットの終盤の、容器洗浄設備４には缶２が存在せず、充填設備５及び巻締設備６には缶２がまだ存在するような状況において、排ガス処理装置１７及び排ガス処理装置１８は、貯留タンク３７に貯留された洗浄水を利用しながらも、容器洗浄設備４における洗浄水としての新水の噴射を停止することができる。
【００６９】
上述した実施形態においては、貯留タンク３７からの洗浄水及び熱水を供給配管３８によって排ガス処理装置１７に供給する構成について説明したが、洗浄水用の供給配管と熱水用の供給配管とを分けて備えてもよい。
【００７０】
上述した実施形態においては、充填設備５の洗浄時に排出される薬剤や熱水を返送配管３１を介して充填設備５に返送する構成について説明したがこれに限らない。流量調節バルブ２９の上流に流れ込んできた薬剤や熱水を、充填設備５に返送することなく図示しない排水設備に排水してもよい。
【００７１】
上述した実施形態においては、排ガス処理システム１６に、充填設備５からの排ガスを処理する排ガス処理装置１７と、巻締設備６からの排ガスを処理する排ガス処理装置１８とがそれぞれ設けられたが、充填設備５からの排ガスと巻締設備６からの排ガスを、共通の排ガス処理装置で処理してもよい。
【００７２】
ただし、排ガス処理システム１６が、上述のように排ガス処理装置１７と排ガス処理装置１８とをそれぞれ別に備えることにより以下の利点がある。あるロットの終盤の、容器洗浄設備４及び充填設備５には缶２が存在せず、巻締設備６には缶２がまだ存在するような状況において、排ガス処理装置１８においてのみ巻締設備６から排出される排ガスの処理を続行するが、排ガス処理装置１７においては充填設備５から排出される排ガスがなくなるため、排ガスの処理を終了することができる。
【００７３】
上述した実施形態においては、一つの充填設備５と一つの排ガス処理装置１７とが接続され、一つの巻締設備６と一つの排ガス処理装置１８とが接続される場合について説明したが、これに限らない。一つの充填設備５と複数の排ガス処理装置１７とが接続され、一つの巻締設備６と複数の排ガス処理装置１８とが接続されてもよい。さらに、缶ビール製造工場１に複数の充填設備５が備えられている場合に、各充填設備５と一つの排ガス処理装置１７とが接続されてもよい。同様に、缶ビール製造工場１に複数の巻締設備６が備えられている場合に、各巻締設備６と一つの排ガス処理装置１８とが接続されてもよい。
【００７４】
上述した実施形態においては、貯留タンク３７に貯留された容器洗浄設備４において噴射した洗浄水や熱水を排ガス処理装置１７及び排ガス処理装置１８のみで利用したが、貯留タンク３７に貯留した洗浄水及び熱水を容器洗浄設備４、巻締設備６と梱包設備７との間に設置されたパストライザー（図示せず）、巻締後の缶の洗浄設備（図示せず）等において利用してもよい。
【００７５】
上述の実施形態においては、本発明に係る排ガス処理システム及び排ガス処理装置の運転方法を食品製造工場としての缶ビール製造工場に適用する例について説明したが、これに限らない。本発明に係る排ガス処理システム及び排ガス処理装置の運転方法は、食品製造工場としての缶ジュース製造工場や、ＰＥＴボトル入り飲料製造工場や、生鮮食品、加工食品等の缶詰や瓶詰め製造工場にも適用することができる。
【００７６】
以下に、本発明に係る排ガス処理装置の運転方法について説明する。排ガス処理装置１７は、排ガスの処理時に、容器洗浄設備４において缶２を洗浄するために散布した洗浄水を散水ノズル３６に供給する洗浄水供給ステップが実行される。排ガス処理装置１７は、排ガス処理装置１７の洗浄時に、容器洗浄設備４を洗浄するために散布した熱水を少なくとも散水ノズル３６に供給する熱水供給ステップが実行される。
【００７７】
該運転方法は、容器洗浄設備４において使用された洗浄水又は熱水を貯留する貯留ステップを備え、洗浄水供給ステップにおいて、貯留ステップにおいて貯留された洗浄水を使用し、熱水供給ステップにおいて、貯留ステップにおいて貯留された熱水を使用する。
【００７８】
洗浄水供給ステップは、散水ノズル３６のみを介して洗浄水を供給する。熱水供給ステップは、散水ノズル３６及び本体２０の給気口２７と充填材３５との間の壁面に設けられた給水口４０を介して熱水を供給する。その際ドレンバルブ３３及び流量調節バルブ２９は閉じた状態で実行される。以上により、排ガス処理時の散水及び排ガス処理装置自体の洗浄を安価に可能な排ガス処理装置の運転方法が実現される。
【００７９】
上述した実施形態は、いずれも本発明の一例であり、当該記載により本発明が限定されるものではなく、各部の具体的構成は本発明の作用効果が奏される範囲において適宜変更設計可能である。
【符号の説明】
【００８０】
１        ：缶ビール製造工場（食品製造工場）
２        ：缶（容器）
４        ：容器洗浄設備
５        ：充填設備
６        ：巻締設備
１０      ：洗浄水ノズル
１１      ：集水パン
１６      ：排ガス処理システム
１７      ：排ガス処理装置
１８      ：排ガス処理装置
１９      ：供給機構
２０      ：本体
２１      ：排気口
２７      ：給気口
２８      ：給気管
２９      ：流量調節バルブ
３２      ：ドレン管（ドレン）
３３      ：ドレンバルブ
３５      ：充填材
３６      ：散水ノズル
３７      ：貯留タンク
３８      ：供給配管
３９      ：供給ポンプ
４０      ：給水口
４１      ：第一供給配管
４２      ：第二供給配管
４３      ：流量調節バルブ
４４      ：流量調節バルブ
４５      ：エリミネータ
【図１】
2018111064.tif 000003
【図２】
2018111064.tif 000004
【図３】
2018111064.tif 000005